(57)【特許請求の範囲】
【請求項１】
ジェットポンプ作用により供給される洗浄水によって汚物を排出する水洗大便器装置であって、
汚物を受け止めるボウル部と、洗浄水として供給される水を前記ボウル部に導くための導水路と、を有する便器本体と、
前記導水路に供給される水を内部に貯留するタンクと、
前記タンクの内部において少なくとも一部が水没した状態で配置されたジェットポンプユニットと、
前記ジェットポンプユニットに所定の流量を供給する弁と、
を有し、
前記ジェットポンプユニットは、
一端側に吸引口が形成された管であって、前記吸引口から内部に流入した水が前記導水路に向けて流出されるように配置されたスロート管と、
このスロート管の吸引口に向けて配置されるジェットノズルと、を備え、
前記ジェットポンプユニットは、このジェットノズルが、前記吸引口から前記スロート管の内部に向けて水をジェット噴射することにより、前記スロート管の内部を流れる水の流量を、前記ジェットノズルから噴射された水の流量よりも増大させるジェットポンプ作用を誘発させて、増大した流量の水を前記スロート管から前記導水路に向けて供給するように構成され、
前記水洗大便器装置は、さらに、
前記便器本体を洗浄中のいずれの工程においても、前記スロート管の内部を流れる水の流量が所定の規定流量を超えるとき、前記導水路から前記ボウル部に供給される水の流量を前記所定の規定流量よりも低減させるように、前記スロート管から前記導水路に流れる水の一部を前記タンク内に溢れさせる流路開口部を形成する溢れ手段を備えており、
前記溢れ手段の前記流路開口部は、前記タンク内の満水時の水位以上の高さ位置に形成されていることを特徴とする水洗大便器装置。
【請求項２】
前記溢れ手段は、前記スロート管の内部を流れる水の流量が所定の規定流量を超えていない場合は、前記スロート管から前記導水路に向けて供給される水を、前記流路開口部から前記タンク内に溢れさせないように形成されている請求項１に記載の水洗大便器装置。
【請求項３】
前記溢れ手段の前記流路開口部は、前記タンク内の満水時の水位の近傍の高さ位置に形成されている請求項１に記載の水洗大便器装置。
【請求項４】
前記溢れ手段の前記流路開口部は、前記スロート管と、前記スロート管と前記導水路との間の流路上に形成され且つ前記タンク内の満水時の水位の近傍の高さ位置に配置される排水口部と、の間に形成される請求項３に記載の水洗大便器装置。
【請求項５】
前記スロート管の下流側の端部は、前記スロート管と前記導水路との間の流路上に形成される排水口部の上方に離間して配置され、
前記溢れ手段の前記流路開口部は、満水時の水位の近傍の高さ位置に配置される前記排水口部と、前記スロート管の下流側の端部との間に形成されている請求項３に記載の水洗大便器装置。
【請求項６】
前記溢れ手段の前記流路開口部は、前記スロート管と前記導水路との間の流路上に形成される排水口部とは別に形成され且つ、前記流路開口部は、前記流路開口部の下流側流路が、前記排水口部の下流側の流路と連通するように形成されている請求項３に記載の水洗大便器装置。
【請求項７】
前記溢れ手段の前記流路開口部は、少なくとも一部が前記スロート管に形成されている請求項３に記載の水洗大便器装置。
【発明の詳細な説明】
【技術分野】
【０００１】
本発明は、水洗大便器装置に係り、特に、ジェットポンプ作用により供給される洗浄水によって汚物を排出する水洗大便器装置に関する。
【背景技術】
【０００２】
従来から、例えば、特許文献１に記載されているように、勢いの強い水を便器のボウル面に継続的に供給することができるジェットポンプユニットが設けられた水洗大便器装置が知られている。
この便器は水道管と直結したジェットノズルから洗浄水を吐水して、貯水タンク内の水をスロート内に巻き込み大流量の洗浄水を便器へ供給している。このようなジェットポンプユニットにおいては、ジェットノズルの上流側に定流量弁が取付けられ、ジェットノズルに供給される水の流量を所定の流量としている。
【先行技術文献】
【特許文献】
【０００３】
【特許文献１】特開２０１５−８６６８７号公報
【発明の概要】
【発明が解決しようとする課題】
【０００４】
しかしながら、現場の水道圧等の条件により、定流量弁を通過してジェットノズルに供給される水の流量がばらつくという問題が生じている。ジェットノズルに供給される水の流量がばらつく場合、ジェットポンプユニットでは、ジェットノズルから吐出される洗浄水により貯水タンク内の洗浄水を吸引して便器に供給するため、ジェットノズルから吐出される水の流量のばらつきがさらに増幅されて、便器に供給される洗浄水量がさらに増大されたばらつきを生じることとなる。
その結果、弁からジェットノズルに供給される水の流量がばらついて増大する場合において、便器に供給される洗浄水量が増大され、水がボウル面から溢れてしまうという問題があった。
また、弁からジェットノズルに供給される水の流量がばらついて増大する場合に、水がボウル面から溢れないようにするために、ジェットノズルに供給される水の流量を当初から減少させるように設定することとすると、弁からジェットノズルに供給される水の流量がばらついて減少する場合において、便器に供給される水量がさらに減少し、洗浄性能が低下し、便器の洗浄が不良となるという問題が生じていた。
【０００５】
そこで、本発明は、従来技術の要請された課題を解決するためになされたものであり、便器本体を洗浄中のいずれの工程においても、弁からジェットノズルに供給される水の流量がばらついて増大する場合において、スロート管の内部を流れる水の流量が所定の規定流量を超えるとき、溢れ手段によりボウル部に供給される水の流量を所定の規定流量よりも低減させ、ボウル部から洗浄水が溢れることを防止することができ、且つ、弁からジェットノズルに供給される水の流量がばらついて減少する場合において、弁からジェットノズルに供給される水の流量を、所定の規定流量に近づけた比較的大きな流量の値とすることができ、洗浄性能の低下を抑制することができる水洗大便器装置を提供することを目的としている。
【課題を解決するための手段】
【０００６】
上記の目的を達成するために、本発明は、ジェットポンプ作用により供給される洗浄水によって汚物を排出する水洗大便器装置であって、汚物を受け止めるボウル部と、洗浄水として供給される水をボウル部に導くための導水路と、を有する便器本体と、導水路に供給される水を内部に貯留するタンクと、タンクの内部において少なくとも一部が水没した状態で配置されたジェットポンプユニットと、ジェットポンプユニットに所定の流量を供給する弁と、を有し、ジェットポンプユニットは、一端側に吸引口が形成された管であって、吸引口から内部に流入した水が導水路に向けて流出されるように配置されたスロート管と、このスロート管の吸引口に向けて配置されるジェットノズルと、を備え、ジェットポンプユニットは、このジェットノズルが、吸引口からスロート管の内部に向けて水をジェット噴射することにより、前記スロート管の内部を流れる水の流量を、前記ジェットノズルから噴射された水の流量よりも増大させるジェットポンプ作用を誘発させて、増大した流量の水をスロート管から導水路に向けて供給するように構成され、水洗大便器装置は、さらに、便器本体を洗浄中のいずれの工程においても、スロート管の内部を流れる水の流量が所定の規定流量を超えるとき、導水路からボウル部に供給される水の流量を所定の規定流量よりも低減させるように、スロート管から前記導水路に流れる水の一部をタンク内に溢れさせる流路開口部を形成する溢れ手段を備えており、この溢れ手段の流路開口部は、タンク内の満水時の水位以上の高さ位置に形成されていることを特徴としている。
このように構成された本発明においては、スロート管の内部を流れる水の流量が、ボウル部から洗浄水がボウル部外に飛散しないように設定された所定の規定流量を超えるとき、導水路からボウル部に供給される水の流量を前記所定の規定流量よりも低減させるように、スロート管から導水路に向けて供給される水の一部をタンク内に溢れさせる流路開口部を持った溢れ手段を備えている。これにより、現場の水道圧等の条件により、弁からジェットノズルに供給される水の所定流量が現場ごとにばらつく場合において、便器本体を洗浄中のいずれの工程においても、弁からジェットノズルに供給される水の流量がばらついて増大する場合において、スロート管の内部を流れる水の流量が所定の規定流量を超えるとき、溢れ手段によりボウル部に供給される水の流量を所定の規定流量よりも低減させ、弁からジェットノズルに供給される水の流量のバラつきによる水の流量の増大を吸収することができるため、ボウル部から洗浄水が溢れることを防止することができる。さらに、便器本体を洗浄中のいずれの工程においても、弁からジェットノズルに供給される水の流量がばらついて減少する場合において、弁からジェットノズルに供給される水の流量を、所定の規定流量に近づけた比較的大きな流量の値とすることができ、洗浄性能の低下を抑制することができる。
また、本発明においては、溢れ手段の流路開口部が、タンク内の満水時の水位以上の高さ位置に形成されている。ここで、仮に、溢れ手段の流路開口部は、タンク内の満水時の水位よりも下方に形成されているときは、スロート管の内部を流れる洗浄水をタンク内に流出できなくなる、または、流出量が不十分となり、ボウル部に供給される水の流量を所定の規定流量よりも低減させることができず、洗浄水がボウル部から外部に飛散するおそれがある。
従って、本発明においては、溢れ手段の流路開口部が、タンク内の満水時の水位以上の高さ位置に形成され、スロート管の内部を流れる洗浄水をタンク内に流出できなくなる、または、流出量が不十分となることを防止することができる。その結果、溢れ手段によりボウル部に供給される水の流量を所定の規定流量よりも低減させ、洗浄水がボウル部から外部に飛散することをより確実に防止することができるとともに、弁からジェットノズルに供給される水の流量がばらついて減少する場合においても、洗浄性能の低下を抑制することができる。
【０００８】
本発明において、好ましくは、溢れ手段は、スロート管の内部を流れる水の流量が所定の規定流量を超えていない場合は、スロート管から導水路に向けて供給される水を、流路開口部から前記タンク内に溢れさせないように形成されている。
このように構成された本発明においては、溢れ手段は、スロート管の内部を流れる水の流量が所定の規定流量を超えていない場合は、タンクに洗浄水を溢れさせないため、弁からジェットノズルに供給される水の流量が現場ごとにばらつく場合に、ジェットノズルに供給される水の流量が小さいときは、溢れ手段によりタンク内へ洗浄水を溢れさせず、洗浄水を導水路へ供給する。そのため、弁からジェットノズルに供給される水の流量のバラつきによる洗浄性能の低下をより確実に抑制することができる。
【０００９】
本発明において、好ましくは、溢れ手段の前記流路開口部は、タンク内の満水時の水位の近傍の高さ位置に形成されている。
このように構成された本発明においては、溢れ手段の前記流路開口部は、タンク内の満水時の水位の近傍の高さ位置に形成されるので、弁からジェットノズルに供給される水の流量がばらついて増大する場合において、スロート管の内部を流れる水の流量が所定の規定流量を超え、排水口部の下流側の流路が満水となるとき、溢れ手段の流路開口部がスロート管の上方側に形成されている場合と比べて、より早い段階で、溢れ手段によりボウル部に供給される水の流量を所定の規定流量よりも低減させることができる。よって、ボウル部から洗浄水が溢れることをより確実に防止することができる。
【００１０】
本発明は、好ましくは、溢れ手段の流路開口部は、スロート管と、スロート管と導水路との間の流路上に形成され且つタンク内の満水時の水位の近傍の高さ位置に配置される排水口部と、の間に形成される。
このように構成された本発明においては、溢れ手段の前記流路開口部は、スロート管と、スロート管と導水路との間の流路上に形成され且つタンク内の満水時の水位の近傍の高さ位置に配置される排水口部との間に形成されるので、弁からジェットノズルに供給される水の流量がばらついて増大する場合において、スロート管の内部を流れる水の流量が所定の規定流量を超え、排水口部の下流側の流路が満水となるとき、溢れ手段の流路開口部がスロート管の上方側に形成されている場合と比べて、より早い段階で、溢れ手段によりボウル部に供給される水の流量を所定の規定流量よりも低減させることができる。よって、ボウル部から洗浄水が溢れることをより確実に防止することができる。
【００１１】
本発明は、好ましくは、スロート管の下流側の端部は、スロート管と導水路との間の流路上に形成される排水口部の上方に離間して配置され、溢れ手段の流路開口部は、満水時の水位の近傍の高さ位置に配置される排水口部と、スロート管の下流側の端部との間に形成されている。
このように構成された本発明においては、溢れ手段の流路開口部は、スロート管と導水路との間の流路上に形成される排水口部の上方に離間して配置されるスロート管の下流の端部と、タンク内の満水時の水位の近傍の高さ位置に配置される排水口部との間に形成されるので、弁からジェットノズルに供給される水の流量がばらついて増大する場合において、スロート管の内部を流れる水の流量が所定の規定流量を超え、排水口部の下流側の流路が満水となるとき、溢れ手段の流路開口部がスロート管の上方側に形成されている場合と比べて、より早い段階で、溢れ手段によりボウル部に供給される水の流量を所定の規定流量よりもより確実に低減させることができる。よって、ボウル部から洗浄水が溢れることをさらにより確実に防止することができる。
【００１２】
本発明は、好ましくは、溢れ手段の流路開口部は、スロート管と導水路との間の流路上に形成される排水口部とは別に形成され且つ、流路開口部は、流路開口部の下流側流路が、排水口部の下流側の流路と連通するように形成されている。
このように構成された本発明においては、溢れ手段の流路開口部は、スロート管と導水路との間の流路上に形成される排水口部とは別に形成されるので、弁からジェットノズルに供給される水の流量がばらついて増大する場合において、スロート管の内部を流れる水の流量が所定の規定流量を超え、排水口部の下流側の流路が満水になるとき、溢れ手段の流路開口部がスロート管の上方側に形成されている場合と比べて、より早い段階で、溢れ手段によりボウル部に供給される水の流量を所定の規定流量よりもより確実に低減させることができる。よって、ボウル部から洗浄水が溢れることをさらにより確実に防止することができる。
【００１３】
本発明は、好ましくは、溢れ手段の流路開口部は、少なくとも一部がスロート管に形成されている。
このように構成された本発明においては、溢れ手段の流路開口部は、少なくとも一部がスロート管に形成されるので、流路開口部をスロート管により比較的簡単に形成することができ、弁からジェットノズルに供給される水の流量がばらついて増大する場合において、スロート管の内部を流れる水の流量が所定の規定流量を超えるとき、溢れ手段によりボウル部に供給される水の流量を所定の規定流量よりも低減させることができる。よって、ボウル部から洗浄水が溢れることをより確実に防止することができる。
【発明の効果】
【００１４】
本発明の水洗大便器装置によれば、便器本体を洗浄中のいずれの工程においても、弁からジェットノズルに供給される水の流量がばらついて増大する場合において、スロート管の内部を流れる水の流量が所定の規定流量を超えるとき、溢れ手段によりボウル部に供給される水の流量を所定の規定流量よりも低減させ、ボウル部から洗浄水が溢れることを防止することができ、且つ、弁からジェットノズルに供給される水の流量がばらついて減少する場合において、弁からジェットノズルに供給される水の流量を、所定の規定流量に近づけた比較的大きな流量の値とすることができ、洗浄性能の低下を抑制することができる。
【図面の簡単な説明】
【００１５】
【図１】本発明の第一実施形態による水洗大便器装置を示す平面図である。
【図２】本発明の第一実施形態による水洗大便器装置の洗浄水タンク装置の内部構造を示す断面斜視図である。
【図３】本発明の第一実施形態による水洗大便器装置の洗浄水タンク装置の内部における構成を示すブロック図である。
【図４】図１のＩＶ−ＩＶ線に沿って見た断面図である。
【図５】本発明の第一実施形態による水洗大便器装置における洗浄初期の便器本体への洗浄水の供給流量と、ジェットノズルから噴射される洗浄水の水量のばらつきとの関係を説明する図である。
【図６】本発明の第一実施形態による水洗大便器装置において、スロート管の内部を流れる水の流量が所定の規定流量Ｆ１に満たない場合に、スロート管及び流路開口下流側流路を洗浄水が流れる様子を示す図である。
【図７】本発明の第一実施形態による水洗大便器装置において、スロート管の内部を流れる水の流量が所定の規定流量Ｆ１を超える場合に、スロート管、流路開口部及び流路開口下流側流路を洗浄水が流れる様子を示す図である。
【図８】本発明の第二実施形態による水洗大便器装置のスロート管、貯水タンク及び流路開口下流側流路の概略部分断面により溢れ手段の流路開口部を示す概略部分断面図である。
【図９】本発明の第三実施形態による水洗大便器装置のスロート管、貯水タンク及び流路開口下流側流路の概略部分断面により溢れ手段の流路開口部を示す概略部分断面図である。
【図１０】本発明の第四実施形態による水洗大便器装置のスロート管、貯水タンク及び流路開口下流側流路の概略部分断面により溢れ手段の流路開口部を示す概略部分断面図である。
【図１１】本発明の第五実施形態による水洗大便器装置のスロート管、貯水タンク及び流路開口下流側流路の概略部分断面により溢れ手段の流路開口部を示す概略部分断面図である。
【図１２】本発明の第六実施形態による水洗大便器装置のスロート管、貯水タンク及び流路開口下流側流路の概略部分断面により溢れ手段の流路開口部を示す概略部分断面図である。
【図１３】本発明の第七実施形態による水洗大便器装置のスロート管、貯水タンク及び流路開口下流側流路の概略部分断面により溢れ手段の流路開口部を示す概略部分断面図である。
【発明を実施するための形態】
【００１６】
以下、添付図面を参照して本発明の第一実施形態による水洗大便器装置を説明する。
まず、図１及び図２により、本発明の第一実施形態による水洗大便器装置の基本構造を説明する。図１は、本発明の第一実施形態による水洗大便器装置を示す平面図であり、図２は本発明の第一実施形態による水洗大便器装置の洗浄水タンク装置の内部構造を示す断面斜視図である。
【００１７】
図１及び図２に示すように、本発明の第一実施形態による水洗大便器装置１は、便器本体２と、この便器本体２に洗浄水を供給する洗浄水タンク装置４を備えている。水洗大便器装置１は、例えば、３．８リットル乃至６リットルの洗浄水、好ましくは、３．８リットル乃至４．８リットルの洗浄水で洗浄する、節水型の洗い落とし式の水洗大便器である。
便器本体２は、その前方側に設けられたボウル部６と、ボウル部６の上縁に形成されたリム部８と、このリム部８の内周に形成された棚部１０と、を備えている。
また、便器本体２のボウル部６の底部には、トラップ排水路１２の入口１２ａが開口し、このトラップ排水路１２は、上方に延びる上昇管（図示せず）と、下方に延びる下降管（図示せず）を備えている。本実施形態による水洗大便器装置１は、高さ方向の落差により汚物を排出する洗い落とし式便器である。
なお、本実施形態においては、洗い落とし式便器に適用した形態について説明するが、このような形態に限定されず、サイホン作用を利用してボウル部内の汚物を吸い込んで排水トラップ管路から一気に外部に排出する、いわゆる、サイホン式便器の形態等、他の水洗大便器の形態についても適用可能である。
【００１８】
つぎに、便器本体２は、洗浄水タンク装置４の排水口１４から排出される洗浄水が流入する導水路１６と、便器本体２の前方から見て左側中央に形成された第１リム吐水口１８と、前方から見て右側後方に形成された第２リム吐水口２０とを備えている。
また、導水路１６は、下流に向かって第１通水路２２と第２通水路２４に分岐し、その下流側の流路（流路断面積）が上流側に比べて狭くなっており、導水路１６の洗浄水が第１通水路２２を経て第１リム吐水口１８に到達する一方、第２通水路２４を経て第２リム吐水口２０に到達し、洗浄水が、それぞれ、第１リム吐水口１８及び第２リム吐水口２０から吐水され、ボウル部６を洗浄し、汚物をトラップ排水路１２から排出するようになっている。
【００１９】
つぎに、図１〜図７により、洗浄水タンク装置４について詳細に説明する。
図３は本発明の第一実施形態による水洗大便器装置の洗浄水タンク装置の内部における構成を示すブロック図であり、図４は図１のＩＶ−ＩＶ線に沿って見た断面図であり、図５は本発明の第一実施形態による水洗大便器装置における洗浄初期の便器本体への洗浄水の供給流量と、ジェットノズルから噴射される洗浄水の水量のばらつきとの関係を説明する図であり、図６は本発明の第一実施形態による水洗大便器装置において、スロート管の内部を流れる水の流量が所定の規定流量Ｆ１に満たない場合に、スロート管及び流路開口下流側流路を洗浄水が流れる様子を示す図であり、図７は本発明の第一実施形態による水洗大便器装置において、スロート管の内部を流れる水の流量が所定の規定流量Ｆ１を超える場合に、スロート管、流路開口部及び流路開口下流側流路を洗浄水が流れる様子を示す図である。
【００２０】
図１〜図４に示すように、洗浄水タンク装置４は、平面視において左右方向に長い扁平形状に形成されて洗浄水を貯水する貯水タンク２６と、この貯水タンク２６に洗浄水を供給する給水管路２８と、この給水管路２８の下流端に設けられ便器本体２に洗浄水を供給するためのジェットポンプユニット３２と、使用者が手動操作により洗浄水の給水を行うための手動レバー３４とを備えている。
貯水タンク２６は、導水路１６に供給される水を内部に貯留するようになっている。貯水タンク２６は、便器本体２の後方側の比較的低い位置に配置されるローシルエットタイプの貯水タンクを形成している。このようなローシルエットタイプの貯水タンクは、貯水タンク２６の大部分が便器本体２の上面より下側に配置されている。例えば、ローシルエットタイプの貯水タンクにおいては、貯水タンク２６の高さ方向の長さの半分以上が便器本体２の上面より下側に配置されている。また、ローシルエットタイプの貯水タンクは、貯水タンク２６が便器本体２の下部まで配置されるので、貯水タンク２６の頂部２６ａが比較的低い位置に位置決めされ、水洗大便器装置１の後方側の貯水タンク２６が目立たず、水洗大便器装置１全体としての美観及び高級感が向上されている。
【００２１】
貯水タンク２６は、その前後方向の長さがその左右方向の幅より短い扁平形タンクであり、便器本体２の後部の外側且つ左右両側に位置する部分が便器本体２の下方側まで垂直方向下方に突出して延びる四角形状の下方突出タンク部２６ｂを形成し、全体として、節水化の観点及び/又は意匠性の観点から比較的小型の貯水タンクとして形成されている。
給水管路２８の上流端には、外部の水道管等の給水源（図示せず）から供給される洗浄水を止水するための止水栓（図示せず）が設けられている。この止水栓（図示せず）は、水洗大便器装置１の据付時などに給水源（図示せず）からの給水を止水するためのものであり、通常使用時は開状態に保持されている。
【００２２】
ジェットポンプユニット３２は、貯水タンク２６の内部において少なくとも一部が水没した状態で配置されている。ジェットポンプユニット３２は、下方から上方に延びる上昇管部３８ａとこの上昇管部３８ａの上端付近から下方に延びる下降管部３８ｂとを備えた概ね逆Ｕ字形状（他の言い方によれば、例えば逆Ｊ字形状又はグースネック型形状）に形成されたスロート管３８と、このスロート管３８に向けて洗浄水を噴射してジェットポンプ作用を誘発させるジェットノズル４０と、給水管路２８に接続され、ジェットノズル４０への洗浄水の供給を給止水する給水弁装置３０と、ジェットノズル４０から噴射される洗浄水の進行方向をスロート管３８の内部方向からスロート管３８の外部方向に位置する補給水流路５６及び貯水タンク２６内へと切り替えることができるようになっている切替手段（図示せず）と、貯水タンク２６内に貯水された洗浄水の水位に応じ上下動するフロート６８と、フロート６８と切替手段（図示せず）とを連結する連結手段（図示せず）と、この給水弁装置３０とジェットノズル４０の間を連結するジェット流路５５と、スロート管３８の入口部とジェットノズル４０の間の外側に入口が形成され且つ切替手段がジェットノズル４０から噴射される洗浄水の進行方向をスロート管３８の外部方向に切替えたときに洗浄水が流入され、スロート管３８を経由せずに、排水口１４へ洗浄水を供給できる流路を形成している補給水流路５６と、を備えている。
【００２３】
スロート管３８の上昇管部３８ａの上流端には吸引口３８ｃが形成され、この吸引口３８ｃが貯水タンク２６内の下部に位置するようになっており、スロート管３８の下降管部３８ｂの下流端３８ｄが便器本体２の導水路１６に連通する排水口（排水口部）１４に接続されている。
また、スロート管３８の吸引口３８ｃに対向するように、ジェットノズル４０が配置され、スロート管３８の吸引口３８ｃとジェットノズル４０は、常時、貯水タンク２６内で水没した状態となっている。
【００２４】
ジェットポンプユニット３２は、ジェットノズル４０からスロート管３８の吸引口３８ｃに向けて高速の洗浄水を噴射し、このとき、ジェットノズル４０に近いスロート管３８内の吸引口３８ｃ近傍の空間が負圧となり、この負圧によりジェットポンプ作用（エジェクタ効果）を誘発させることにより、貯水タンク２６内の近傍の洗浄水を吸引し、この洗浄水とジェットノズル４０から噴出される洗浄水とが一緒になり、スロート管３８内を流れる洗浄水の水量が、ジェットノズル４０から噴出される洗浄水の水量よりも増大され、この増大された洗浄水の水量が、下流端３８ｄから便器本体２の導水路１６に供給されるようになっている。
すなわち、本明細書中に記載されている「ジェットポンプ作用」という用語については、ジェットノズル４０からスロート管３８の吸引口３８ｃに向けて噴射される勢いのある洗浄水の流れ自体が、ポンプ等の他の機械要素に依存することなく、直接的にスロート管３８の吸引口３８ｃの近傍等の周囲の洗浄水を引き込むような負圧を形成し、この負圧を利用してスロート管３８内に吸い込んだ貯水タンク２６内の洗浄水を便器本体２側へ圧送する作用を意味している。
【００２５】
給水管路２８又はジェット流路５５には、上述した給水弁装置３０以外に、給水弁装置３０の上流側に定流量弁４２（弁）が、下流側に真空破壊弁４４が設けられている。この定流量弁４２は、給水弁装置３０に供給される洗浄水をほぼ定流量とし、ジェットポンプユニット３２に所定の流量を供給するためのものである。真空破壊弁４４は、外部から空気を吸入して真空破壊弁４４からジェットノズル４０までのジェット流路５５内が負圧にならないようにするためのものである。
【００２６】
ジェットポンプユニット３２に所定の流量を供給する定流量弁４２は、給水管路２８上に設けられ、且つ給水弁装置３０の上流側に設けられている。定流量弁４２は、通過する水（洗浄水）を、予め決められたほぼ定流量に調整するようになっているが、現場（水洗大便器装置１が設置される施工場所）の水道圧、給水圧等の条件がばらつく場合においては、定流量弁４２を通過する水の流量（瞬間流量）が現場ごとにばらつきが生じる場合がある。水洗大便器装置１が設置される施工場所の使用環境は様々であり、水道圧、給水圧等の条件が必ずしも一定とは限らない。定流量弁４２を通過する水の流量がばらつく場合には、ジェットノズル４０から噴射される水の流量がばらつくこととなり、さらに、ジェットノズル４０から噴射される水の流量がばらつく場合には、ジェットポンプ作用により増大（増幅）されるスロート管３８の内部を流れる水の流量も増大されたばらつきが生じる。本発明においては、このような水の流量のばらつきの問題を解決することができることを下述する。
なお、本実施形態においては、定流量弁４２は、いわゆる定流量弁であるが、例えば減圧弁等の他の構成を用いることにより、通過する水を予め決められたほぼ定流量に調整する弁装置であってもよい。このような弁装置において、水道圧、給水圧等の条件がばらつく場合に、弁装置を通過する水の流量が現場ごとにばらつきが生じるときは、本発明の溢れ手段を備えることにより、同様に、水の流量のばらつきの問題を解決することができる。
【００２７】
図３に示すように、給水弁装置３０は、その上流側が給水管路２８に接続され、給水管路２８から給水され、さらに、その下流側がジェット流路５５に接続され、主弁体４８が開弁するとき、ジェット流路５５に一定流量の洗浄水を継続して供給してジェット吐水する（吐水状態となる）ようになっている。
給水弁装置３０は、パイロット式ダイアフラム弁である主弁体４８を備え、この主弁体４８がパイロット弁（図示せず）の動作によって、開閉されるようになっている。パイロット弁は、駆動軸３６により手動レバー３４に接続され、使用者の手動レバー３４の手動操作により、主弁体４８を開閉するようになっている。主弁体４８は、パイロット弁の閉動作に応じて主弁座に着座して止水する止水状態（閉状態）と、パイロット弁の開動作に応じて主弁座から離間して給水する給水状態（開状態）とを切り換えるようになっている。またこのパイロット弁は、貯水タンク２６の内部に配置されるフロートと接続されており、フロートの上下動に応じて、パイロット弁が開閉動作され、主弁体４８が開閉されるようになっている。
【００２８】
補給水流路５６は、ジェットノズル４０とは別に洗浄水を便器本体２に補給する流路を形成している。補給水流路５６は、その入口部がスロート管３８の入口部とジェットノズル４０の間の領域に向けて配置され、且つその出口部が排水口１４の流路開口部の上方において下向き（流路開口部向き）に開口するように配置されている。
【００２９】
次に、図２及び図４を参照して、溢れ手段の構造について説明する。
水洗大便器装置１は、さらに、便器本体２を洗浄中のいずれの工程においても、スロート管３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管３８から導水路１６に向けて供給される水の一部を貯水タンク２６内に溢れさせる流路開口部５０を形成する溢れ手段５２を備えている。
【００３０】
溢れ手段５２は、流路から洗浄水を溢れさせることができるように形成された流路開口部５０と、流路開口部５０の下方に設けられる流路開口下流側流路５４と、を備えている。
溢れ手段５２の流路開口部５０は、スロート管３８の下流端３８ｄと、タンク内側棚面（タンク内面）２６ｃとの間に形成されている。別の言い方によれば、タンク内側棚面２６ｃに形成された円形の排水口１４の内側に、スロート管３８の下流端３８ｄが配置され、排水口１４の内側且つスロート管３８の外側の部分の開口部が流路開口部５０を形成している。本実施形態においては、スロート管３８の下流端３８ｄは、タンク内側棚面２６ｃの高さに配置されている。流路開口部５０がタンク内側棚面２６ｃ上で上向きに開口するように形成されている。なお、スロート管３８の下流端３８ｄは、タンク内側棚面２６ｃの下方側（排水口１４の内部）まで延びていてもよい。
【００３１】
タンク内側棚面２６ｃは、貯水タンク２６の内側の中央近傍において、貯水タンク２６内の満水時の水位Ｗ０の高さ位置の近傍の高さ位置において、ほぼ水平な平面として形成されている。タンク内側棚面２６ｃは、貯水タンク２６内の満水時の水位ＷＬ０の高さ位置以上の高さ位置に形成されていてもよい。貯水タンク２６は、ローシルエットタイプの貯水タンクであるため、便器本体２に対して比較的低い位置に配置される。タンク内側棚面２６ｃの裏面、すなわち下面を形成するタンク取付面２６ｄは、図１に示すように便器本体２の後部２ａ上に取付けられるようになっている。便器本体２の後部２ａ上にタンク取付面２６ｄが乗せられ且つ固定された状態で、排水口１４と、便器本体２の導水路１６とが接続される。
【００３２】
溢れ手段５２の流路開口部５０は、タンク内側棚面２６ｃ上に形成され、オーバーフロー開口としても利用される。従って、流路開口部５０は、通常、貯水タンク２６内の満水時の満水水位ＷＬ０の高さ位置以上の高さ位置に形成されている。流路開口部５０は、何らかの要因により貯水タンク２６内の洗浄水の水位が満水の満水水位ＷＬ０を上回って上昇する場合に、洗浄水を流路開口部５０から便器本体２に排水するようになっている。
【００３３】
本実施形態においては、溢れ手段５２の流路開口下流側流路５４は、便器本体２の導水路１６により形成されている。溢れ手段５２の流路開口下流側流路５４は、便器本体２の導水路１６に限られず、便器本体２の導水路１６に接続される接続流路部材であってもよい。流路開口下流側流路５４は、導水路１６と一体に形成されていてもよく、また、導水路１６と別部材により形成されていてもよい。
図７に示すように、流路開口下流側流路５４は、その下流側流路底面５４ａと、流路開口部５０との距離Ｌ１（高さ）が比較的短い長さ（比較的低い高さ）に形成されている。この距離Ｌ１は、スロート管３８の内部を流れる水の流量が所定の規定流量（ボウル部から洗浄水がボウル部外に飛散しないように設定された規定流量）Ｆ１を超えるとき、スロート管３８から下流側流路底面５４ａに流れ込み且つ下流側流路底面５４ａに衝突する水が流路開口部５０から溢れ出ることができるような長さ（高さ）に形成されている。
【００３４】
溢れ手段５２の流路開口下流側流路５４は、流路開口部５０の下側において、便器本体２の前後方向に延びる流路を形成している。流路開口下流側流路５４は、導水路１６の一部を形成し、前方側において導水路１６の流路が分岐されやや狭くなっていることから、溢れ手段５２の流路開口下流側流路５４に流入した洗浄水が、所定の規定流量Ｆ１以上の流量になると、狭くなっている流路において圧損を受けてその導水路１６の上流側、すなわち流路開口下流側流路５４を満水にし、流路開口部５０から洗浄水が貯水タンク２６内に溢れ出るようになっている。なお、流路開口下流側流路５４が満水になる状態には、流路開口下流側流路５４の全体が満水になる状態の他、流路開口下流側流路５４の流路開口部５０側の流路の一部が満水になる状態、流路開口下流側流路５４の流路開口部５０の近傍の領域が洗浄水で満たされて満水のようになる状態が含まれている。
【００３５】
図４、図６及び図７により、本実施形態による水洗大便器装置１による大洗浄時の動作を説明する。なお、本実施形態による水洗大便器装置１による小洗浄時の動作については、洗浄水の水量が少なくなっている点を除いた洗浄水の流れの状態については、基本的に大洗浄時の動作と類似しているため説明を省略する。
まず、図４は、大洗浄開始前の洗浄水タンク装置４を示している。この状態において、貯水タンク２６内の水位は通常状態の満水水位ＷＬ０であり、給水弁装置３０において、主弁体４８は主弁座（図示せず）上に着座し、止水状態となっている。
【００３６】
大洗浄が開始されるとき、使用者が手動レバー３４を一方向に手動操作すると手動レバー３４に接続された駆動軸３６が回転し、給水弁装置３０のパイロット弁が開状態となるように作動して、給水弁装置３０の主弁体４８が主弁座から離間して給水する給水状態となる。洗浄水が下降すると給水フロート６０が下降して主弁体４８が開放され、給水弁装置３０は開状態を維持する。
図６に示すように、外部の給水源から供給される洗浄水は、止水栓（図示せず）、定流量弁４２、給水弁装置３０を経て、ジェット流路５５の下流端のジェットノズル４０に到達し、矢印Ａ１に示すように、ジェットノズル４０からスロート管３８の吸引口３８ｃに向けて洗浄水が噴射される。スロート管３８の吸引口３８ｃ付近は負圧となるので、貯水タンク２６内に貯水された洗浄水もスロート管３８内に吸引され、矢印Ａ２に示すように、給水弁装置３０により外部から供給される洗浄水と貯水タンク２６内の洗浄水が一緒になってスロート管３８内を流れる。従って、矢印Ａ３に示すような、スロート管３８内を流れる洗浄水の水量が、矢印Ａ１に示すような、ジェットノズル４０から噴出される洗浄水の水量よりも増大され、この増大された洗浄水の水量が、下流端３８ｄから便器本体２の導水路１６に供給されるようになっている。
【００３７】
図６に示すように、スロート管３８の内部を流れる水の流量が所定の規定流量Ｆ１に満たない場合には、スロート管３８の下流端３８ｄから排水口１４及び流路開口下流側流路５４に向かって流下する洗浄水は、流路開口下流側流路５４からスムーズに下流側に流れ、流路開口下流側流路５４内の水位はＷＬ１となっており、流路開口部５０から溢れ出ることなく、矢印Ａ４に示すように、流路開口下流側流路５４から導水路１６に向かって流れる。
【００３８】
これに対し、図７に示すように、スロート管３８の内部を流れる水の流量が所定の規定流量Ｆ１を超える場合には、矢印Ａ５に示すような、ジェットノズル４０から噴出される洗浄水の水量に、矢印Ａ６に示すような、貯水タンク２６内に貯水された洗浄水がスロート管３８内に吸引されることにより、スロート管３８内を流れる水の水量がより増大され、このスロート管３８の内部を流れる水の流量が所定の規定流量Ｆ１を超えている。このように、スロート管３８の内部を流れる水の流量が所定の規定流量Ｆ１を超える場合には、図７において矢印Ａ７に示すように、スロート管３８の下流端３８ｄから排水口１４及び流路開口下流側流路５４に向かって流下する洗浄水は、流路開口下流側流路５４及び/導水路１６内で圧損を受けると、瞬間流量が比較的高いため、流路開口下流側流路５４から下流側に流出できずに流路開口下流側流路５４を満水にすることとなり、流路開口下流側流路５４内の水位はほぼ満水の水位ＷＬ２となっており、矢印Ａ８に示すように、流路開口部５０から貯水タンク２６内に溢れ出る。別の言い方によれば、流路開口下流側流路５４が満水となると洗浄水の圧力が高まって、洗浄水が流路開口部５０から貯水タンク２６内に溢れ出る。従って、流路開口部５０から溢れ出た水量分だけ、矢印Ａ９に示すような便器本体２への洗浄水の供給流量が減少される。
【００３９】
ジェットノズル４０からスロート管３８内への洗浄水の噴出が継続され、貯水タンク２６内の洗浄水がジェットポンプ作用によりスロート管３８内へ排出されると、貯水タンク２６内の洗浄水の水量が低下する。洗浄水の水量が低下すると、フロート６８が低下することにより切替手段が作動して、ジェットノズル４０から噴射される洗浄水の進行方向をスロート管３８の内部方向からスロート管３８の外部方向に位置する補給水流路５６及び貯水タンク２６内へと切り替える。従って、貯水タンク２６内へ洗浄水が給水され、且つ洗浄水が補給水流路５６を通って導水路１６から便器本体２に補給水として給水される。貯水タンク２６内で洗浄水が上昇すると、給水フロート６０が上昇して主弁体が閉鎖され、給水弁装置３０が止水状態となる。このとき、ジェットノズル４０からの給水が終了し、補給水流路５６への洗浄水の供給も終了され、大洗浄が終了する。
【００４０】
次に、図５〜図７により、本実施形態による水洗大便器装置１による便器本体への洗浄水の供給流量と、ジェットノズル４０から噴射される洗浄水の水量のばらつきとの関係を説明する。
図５は、本発明の第一実施形態による水洗大便器装置における洗浄初期の便器本体への洗浄水の供給流量と、ジェットノズルから噴射される洗浄水の水量のばらつきとの関係を説明する図である。
前述のように、現場（水洗大便器装置１が設置される施工場所）の水道圧、給水圧等の条件がばらつく場合においては、定流量弁４２を通過する水の流量（瞬間流量）が現場ごとにばらつきが生じる場合がある。定流量弁４２を通過する水の流量がばらつく場合には、ジェットノズル４０から噴射される水の流量がばらつくこととなる。
例えば、従来の水洗大便器装置においては、ジェットノズル４０から噴射される水の流量が現場の条件等によりＣ０〜Ｃ１の範囲でばらつくことが想定される場合、ジェットノズル４０から噴射される水の流量に比例する初期の便器本体への洗浄水の供給流量（この場合には、スロート管３８の内部を流れる水の流量）はＦ０〜Ｆ１の範囲でばらつくこととなる。
従来においては、このとき、ジェットノズル４０から噴射される水の流量が最大となるＣ１の流量となる場合に、便器本体２への洗浄水の供給流量（スロート管３８の内部を流れる水の流量）が所定の規定流量（ボウル部から洗浄水がボウル部外に飛散しないように設定された規定流量）Ｆ１を超えないようにすることで、ボウル部６から洗浄水がボウル部６外に飛散することを防いでいた。しかしながら、ジェットノズル４０から噴射される水の流量が最大となるＣ１の流量の際に便器本体２への洗浄水の供給流量が所定の規定流量Ｆ１を超えないようにするので、ジェットノズル４０から噴射される水の流量が最小となるＣ０の流量のとき、便器本体２への洗浄水の供給流量が流量Ｆ０となり、便器本体２への洗浄水の供給流量が減少し、ボウル部６の洗浄性能が低減してしまうという問題があった。
このように、便器本体２への洗浄水の供給流量が所定の規定流量Ｆ１に満たない場合、すなわち、スロート管３８の内部を流れる水の流量が所定の規定流量Ｆ１に満たない場合には、図６に示すように、スロート管３８の下流端３８ｄから排水口１４及び流路開口下流側流路５４に向かって流下する洗浄水は、流路開口部５０から溢れ出ることなく、流路開口下流側流路５４から導水路１６に向かって流れる。
【００４１】
これに対し、本発明の水洗大便器装置においては、現場の環境及び条件がばらつくことにより、ジェットノズル４０から噴射される水の流量がＣ０〜Ｃ１の範囲でばらつくことが想定される場合、ジェットノズル４０から噴射される水の流量に対応する初期の便器本体への洗浄水の供給流量をＦ２〜Ｆ１の範囲でばらつくようにすることができる。なお、このとき、便器本体への洗浄水の供給流量と、スロート管３８の内部を流れる水の流量とが異なる。ジェットノズル４０から噴射される水の流量がＣ０〜Ｃ１の範囲でばらつく場合、ジェットノズル４０から噴射される水の流量に比例するスロート管３８の内部を流れる水の流量をｆ０〜ｆ１の範囲でばらつくようにする。
【００４２】
よって、本発明においては、ジェットノズル４０から噴射される水の流量が最大となるＣ１の流量となる場合に、スロート管３８の内部を流れる水の流量はｆ１となり、所定の規定流量Ｆ１よりも高い値となっており、便器本体２への洗浄水の供給流量が所定の規定流量Ｆ１を超えることが想定される。
このように、便器本体２への洗浄水の供給流量が所定の規定流量Ｆ１を超えることが想定される場合、すなわち、スロート管３８の内部を流れる水の流量が所定の規定流量Ｆ１を超える場合には、図７に示すように、スロート管３８の下流端３８ｄから排水口１４及び流路開口下流側流路５４に向かって流下する洗浄水は、流路開口下流側流路５４及び/導水路１６内で圧損を受けると、流路開口下流側流路５４から下流側に流出できずに流路開口下流側流路５４を満水にすることとなり、流路開口部５０から貯水タンク２６内に溢れ出る。従って、流路開口部５０から溢れ出た水量分だけ、便器本体２への洗浄水の供給流量が減少される。
ジェットノズル４０から噴射される水の流量が最大となるＣ１の流量となる場合においても、洗浄水が流路開口部５０から溢れ出るので、所定の規定流量Ｆ１を超える洗浄水を貯水タンク２６内に戻すようにし、便器本体２への洗浄水の供給流量が所定の規定流量（ボウル部から洗浄水がボウル部外に飛散しないように設定された規定流量）Ｆ１を超えないようにすることができる。
一方、ジェットノズル４０から噴射される水の流量が最小となるＣ０の流量のとき、便器本体２への洗浄水の供給流量が流量Ｆ２（スロート管３８の内部を流れる水の流量はｆ０）となり、所定の規定流量Ｆ１よりも低い値となっている。このとき、図６に示すように、スロート管３８の下流端３８ｄから排水口１４及び流路開口下流側流路５４に向かって流下する洗浄水は、流路開口部５０から溢れ出ることなく、流路開口下流側流路５４から導水路１６に向かって流れる。
【００４３】
上述のように、ジェットノズル４０から噴射される水の流量が最大となるＣ１の流量の際に便器本体２への洗浄水の供給流量が所定の規定流量Ｆ１を超えないようにすることができるので、ジェットノズル４０から噴射される水の流量が最小となるＣ０の流量のとき、便器本体２への洗浄水の供給流量が流量Ｆ２となるように、便器本体２への洗浄水の供給流量を比較的増大させることができる。具体的には、ジェットノズル４０の径及び/又はスロート管３８の形状等を変更することにより、ジェットノズル４０から噴射される水の流量に対して便器本体２への洗浄水の供給流量を増大させる。このように、ジェットノズル４０から噴射される水の流量が最小となるＣ０の流量に対して便器本体２への洗浄水の供給流量Ｆ２を増大させることができ、所定の規定流量Ｆ１に近づけることができるので、ボウル部６の洗浄性能を向上させることができる。
また、水の流量が最小となるＣ０の流量に対して便器本体２への洗浄水の供給流量を増大させた場合においても、溢れ手段５２の流路開口部５０により、水の流量が最大となるＣ１の流量の際に便器本体２への洗浄水の供給流量が所定の規定流量Ｆ１を超えないようにすることができる。
従って、ジェットノズル４０から噴射される水の流量がばらつく場合にも、溢れ手段５２の流路開口部５０により、便器本体２への洗浄水の供給流量が所定の規定流量Ｆ１を超えないようにしながら所定の規定流量Ｆ１に比較的近い流量とすることができ、ボウル部６の洗浄性能を比較的高い洗浄性能に維持することができる。
このように、ジェットノズル４０から噴射される水の流量がばらつく場合にも、溢れ手段５２の流路開口部５０により、ジェットノズル４０から噴射される水の流量に対応する初期の便器本体への洗浄水の供給流量をＦ２〜Ｆ１の範囲でばらつくようにすることができ、従来の洗浄水の供給流量のＦ０〜Ｆ１の範囲よりも狭い範囲でばらつくようにすることができる。
【００４４】
上述した本発明の第一実施形態による水洗大便器装置１によれば、スロート管３８の内部を流れる水の流量が、ボウル部６から洗浄水がボウル部６外に飛散しないように設定された所定の規定流量Ｆ１を超えるとき、導水路１６からボウル部６に供給される水の流量を所定の規定流量Ｆ１よりも低減させるように、スロート管３８から導水路１６に向けて供給される水の一部を貯水タンク２６内に溢れさせる流路開口部５０を持った溢れ手段５２を備えている。
これにより、現場の水道圧等の条件により、定流量弁４２からジェットノズル４０に供給される水の所定流量が現場ごとにばらつく場合において、便器本体２を洗浄中のいずれの工程においても、定流量弁４２からジェットノズル４０に供給される水の流量がばらついて増大する場合において、スロート管３８の内部を流れる水の流量が所定の規定流量Ｆ１を超えるとき、溢れ手段５２によりボウル部６に供給される水の流量を所定の規定流量Ｆ１よりも低減させ、定流量弁４２からジェットノズル４０に供給される水の流量のバラつきによる水の流量の増大を吸収することができるため、ボウル部６から洗浄水が溢れることを防止することができる。さらに、便器本体２を洗浄中のいずれの工程においても、定流量弁４２からジェットノズル４０に供給される水の流量がばらついて減少する場合において、定流量弁４２からジェットノズル４０に供給される水の流量を、所定の規定流量Ｆ１に近づけた比較的大きな流量の値とすることができ、洗浄性能の低下を抑制することができる。
【００４５】
また、本発明の第一実施形態による水洗大便器装置１によれば、溢れ手段５２の流路開口部５０は、貯水タンク２６内の満水時の満水水位ＷＬ０以上の高さ位置に形成されている。ここで、仮に、溢れ手段５２の流路開口部５０は、貯水タンク２６内の満水時の満水水位ＷＬ０よりも下方に形成されているときは、スロート管３８の内部を流れる洗浄水を貯水タンク２６内に流出できなくなる、または、流出量が不十分となり、ボウル部６に供給される水の流量を所定の規定流量Ｆ１よりも低減させることができず、洗浄水がボウル部６から外部に飛散するおそれがある。
従って、本発明においては、溢れ手段５２の流路開口部５０は、貯水タンク２６内の満水時の満水水位ＷＬ０以上の高さ位置に形成され、スロート管３８の内部を流れる洗浄水をタンク内に流出できなくなる、または、流出量が不十分となることを防止することができる。その結果、溢れ手段５２によりボウル部６に供給される水の流量を所定の規定流量Ｆ１よりも低減させ、洗浄水がボウル部６から外部に飛散することをより確実に防止することができるとともに、定流量弁４２からジェットノズル４０に供給される水の流量がばらついて減少する場合においても、洗浄性能の低下を抑制することができる。
【００４６】
さらに、本発明の第一実施形態による水洗大便器装置１によれば、溢れ手段５２は、スロート管３８の内部を流れる水の流量が所定の規定流量Ｆ１を超えていない場合は、貯水タンク２６に洗浄水を溢れさせないため、定流量弁４２からジェットノズル４０に供給される水の流量が現場ごとにばらつく場合に、ジェットノズル４０に供給される水の流量が小さいときは、溢れ手段５２により貯水タンク２６内へ洗浄水を溢れさせず、洗浄水を導水路１６へ供給する。そのため、定流量弁４２からジェットノズル４０に供給される水の流量のバラつきによる洗浄性能の低下をより確実に抑制することができる。
【００４７】
さらに、本発明の第一実施形態による水洗大便器装置１によれば、溢れ手段５２の流路開口部５０は、貯水タンク２６内の満水時の水位の近傍の高さ位置に形成されるので、定流量弁４２からジェットノズル４０に供給される水の流量がばらついて増大する場合において、スロート管３８の内部を流れる水の流量が所定の規定流量Ｆ１を超え、排水口１４の下流側の流路が満水となるとき、溢れ手段５２の流路開口部５０がスロート管３８の上方側に形成されている場合と比べて、より早い段階で、溢れ手段５２によりボウル部６に供給される水の流量を所定の規定流量よりも低減させることができる。よって、ボウル部６から洗浄水が溢れることをより確実に防止することができる。
【００４８】
また、本発明の第一実施形態による水洗大便器装置１によれば、溢れ手段５２の流路開口部５０は、スロート３８管と、スロート管３８と導水路１６との間の流路上に形成され且つ貯水タンク２６内の満水時の水位の近傍の高さ位置に配置される排水口１４との間に形成されるので、定流量弁４２からジェットノズル４０に供給される水の流量がばらついて増大する場合において、スロート管３８の内部を流れる水の流量が所定の規定流量Ｆ１を超え、排水口１４の下流側の流路が満水となるとき、溢れ手段５２の流路開口部５０がスロート管３８の上方側に形成されている場合と比べて、より早い段階で、溢れ手段５２によりボウル部６に供給される水の流量を所定の規定流量よりも低減させることができる。よって、ボウル部６から洗浄水が溢れることをより確実に防止することができる。
【００４９】
次に、図８により、本発明の第二実施形態による水洗大便器装置１０１を説明する。第二実施形態は、本発明の第一実施形態によるに水洗大便器装置１の溢れ手段５２の流路開口部５０を異なる構造により形成した例である。
図８は本発明の第二実施形態による水洗大便器装置のスロート管、貯水タンク及び流路開口下流側流路の概略部分断面により溢れ手段の流路開口部を示す概略部分断面図である。第二実施形態による水洗大便器装置は、上述した第一実施形態による水洗大便器装置と構造がほぼ同じであるため、これらの説明については同じ参照符号を付して省略し、ここでは、第二実施形態の第一実施形態とは異なる部分等を説明する。なお、図８においては、水洗大便器装置の溢れ手段の流路開口部以外の構造については説明のため省略されている（以下図８乃至図１３において同様である）。
【００５０】
図８に示すように、第二実施形態による水洗大便器装置１０１においては、スロート管１３８の下降管部１３８ｂの下流端１３８ｄがタンク内側棚面２６ｃより上方の位置に離間して設けられている。水洗大便器装置１０１は、さらに、便器本体２を洗浄中のいずれの工程においても、スロート管１３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管１３８から導水路１６に向けて供給される水の一部を貯水タンク２６内に溢れさせる流路開口部１５０を形成する溢れ手段１５２を備えている。
【００５１】
溢れ手段１５２は、流路から洗浄水を溢れさせることができるように形成された流路開口部１５０と、流路開口部１５０の下方に設けられる流路開口下流側流路５４と、を備えている。
流路開口部１５０は、排水口１１４の上方に設けられたスロート管１３８の下流端１３８ｄと、タンク内側棚面（タンク内面）２６ｃの排水口１４との間に形成されている。すなわち、流路開口部１５０は、スロート管３８の下流端３８ｄの下方に設けられている。従って、流路開口部１５０は、タンク内側棚面２６ｃ上においては排水口１１４により形成されている。また、流路開口部１５０は、タンク内側棚面２６ｃより上方においては排水口１１４と下流端１３８ｄとの間の隙間空間により形成されている。流路開口部１５０は、タンク内側棚面２６ｃ以上の高さの位置且つ、貯水タンク２６内の満水時の水位ＷＬ０の高さ位置より高い高さ位置に形成されている。
【００５２】
また、本発明の第二実施形態による水洗大便器装置１０１によれば、溢れ手段１５２の流路開口部１５０は、貯水タンク２６の排水口１４の上方に離間して配置されるスロート管１３８の下流の端部１３８ｄと、スロート管１３８と導水路１６との間の流路上に形成され且つ貯水タンク２６内の満水時の満水水位ＷＬ０の高さ位置の近傍の高さ位置に配置される排水口１１４との間に形成されるので、定流量弁４２からジェットノズル４０に供給される水の流量がばらついて増大する場合において、スロート管１３８の内部を流れる水の流量が所定の規定流量Ｆ１を超え、排水口１１４の下流側の流路が満水となるとき、溢れ手段１５２の流路開口部１５０がスロート管１３８の上流側に形成されている場合と比べて、より早い段階で、溢れ手段１５２によりボウル部６に供給される水の流量を所定の規定流量Ｆ１よりもより確実に低減させることができる。よって、ボウル部６から洗浄水が溢れることをさらにより確実に防止することができる。
【００５３】
次に、図９により、本発明の第三実施形態による水洗大便器装置２０１を説明する。第三実施形態は、本発明の第一実施形態による水洗大便器装置１の溢れ手段５２の流路開口部５０を異なる構造により形成した例である。
図９は本発明の第三実施形態による水洗大便器装置のスロート管、貯水タンク及び流路開口下流側流路の概略部分断面により溢れ手段の流路開口部を示す概略部分断面図である。第三実施形態による水洗大便器装置は、上述した第一実施形態による水洗大便器装置と構造がほぼ同じであるため、これらの説明については同じ参照符号を付して省略し、ここでは、第三実施形態の第一実施形態とは異なる部分等を説明する。
【００５４】
図９に示すように、第三実施形態による水洗大便器装置２０１においては、スロート管２３８の下降管部２３８ｂの下流端２３８ｄがタンク内側棚面２６ｃの排水口２１４に取付けられている。また、タンク内側棚面２６ｃ上に排水口２１４から独立して流路開口部２５０が設けられ、流路開口部２５０と流路開口下流側流路５４とが連通されている。
水洗大便器装置２０１は、さらに、便器本体２を洗浄中のいずれの工程においても、スロート管２３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管２３８から導水路１６に向けて供給される水の一部を貯水タンク２６内に溢れさせる流路開口部２５０を形成する溢れ手段２５２を備えている。排水口２１４は、スロート管２３８の下流端２３８ｄと接続されて連続した配管状の流路を形成している。すなわち、スロート管２３８の下流端２３８ｄは、タンク内側棚面２６ｃの下方側（排水口２１４の内部）まで延びていてもよい。
【００５５】
溢れ手段２５２は、流路開口下流側流路５４から洗浄水を溢れさせることができるように形成された流路開口部２５０と、排水口２１４及び流路開口部２５０の下方に設けられる流路開口下流側流路２５５と、を備えている。
流路開口部２５０は、排水口２１４に接続されたスロート管２３８の下流端２３８ｄと離間した位置、又は近傍の位置、又は隣接した位置に別に形成されている。また、流路開口部２５０は、タンク内側棚面２２６ｃの排水口２１４と離間した位置、又は近傍の位置、又は隣接した位置に別に形成されている。流路開口部２５０は、排水口２１４とは別の流路として形成され、下方に延び、排水口下流側流路５４と接続されている。なお、流路開口部２５０が排水口（排水口部）２１４と隣接した位置に配置され、排水口２１４近傍の排水口下流側流路５４を形成する壁面と、流路開口下流側流路２５５を形成する壁面とが、接続されるか又は共通の一つの壁面として形成されていてもよい。流路開口部２５０は、タンク内側棚面２６ｃ上において、排水口２１４と並んで形成され且つ同じ高さ位置に形成されている。流路開口下流側流路２５５は、排水口下流側流路５４と排水口２１４より下流側の位置において連通しているので、流路開口下流側流路２５４内が洗浄水で満水となって水圧が高まった場合には、洗浄水が流路開口部２５０から貯水タンク２６内に溢れだすようになっている。また、流路開口部２５０は、詳細は省略するがオーバーフロー開口としても利用される。流路開口部２５０は、タンク内側棚面２６ｃ上の高さの位置且つ、貯水タンク２６内の満水時の水位ＷＬ０の高さ位置より高い高さ位置に形成されている。
【００５６】
また、本発明の第三実施形態による水洗大便器装置２０１によれば、溢れ手段２５２の流路開口部２５０は、スロート管２３８と導水路１６との間の流路上に形成される排水口２１４の位置と離れた位置、又は近傍の位置、又は隣接した位置に別に形成されるので、定流量弁４２からジェットノズル４０に供給される水の流量がばらついて増大する場合において、スロート管２３８の内部を流れる水の流量が所定の規定流量Ｆ１を超え、排水口２１４の下流側の流路が満水になるとき、溢れ手段２５２の流路開口部２５０が排水口２１４に形成されている場合と比べて、より早い段階で、溢れ手段２５２によりボウル部６に供給される水の流量を所定の規定流量Ｆ１よりもより確実に低減させることができる。よって、ボウル部６から洗浄水が溢れることをさらにより確実に防止することができる。
【００５７】
次に、図１０により、本発明の第四実施形態による水洗大便器装置３０１を説明する。第四実施形態は、本発明の第一実施形態によるに水洗大便器装置１の溢れ手段５２の流路開口部５０を異なる構造により形成した例である。
図１０は本発明の第四実施形態による水洗大便器装置のスロート管、貯水タンク及び流路開口下流側流路の概略部分断面により溢れ手段の流路開口部を示す概略部分断面図である。第四実施形態による水洗大便器装置は、上述した第一実施形態による水洗大便器装置と構造がほぼ同じであるため、これらの説明については同じ参照符号を付して省略し、ここでは、第四実施形態の第一実施形態とは異なる部分等を説明する。
【００５８】
図１０に示すように、第四実施形態による水洗大便器装置３０１においては、スロート管３３８の下流端３３８ｄ近傍の位置又は他の位置に流路開口部３５０が形成されている。
水洗大便器装置３０１は、さらに、便器本体２を洗浄中のいずれの工程においても、スロート管３３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管３３８から導水路１６に向けて供給される水の一部を貯水タンク２６内に溢れさせる流路開口部３５０を形成する溢れ手段３５２を備えている。
【００５９】
溢れ手段３５２は、スロート管３３８内の流路から洗浄水を溢れさせることができるように形成された流路開口部３５０と、流路開口部３５０の下方に設けられる流路開口下流側流路５４と、を備えている。
流路開口部３５０は、排水口３１４の上方に設けられたスロート管３３８の下流端３３８ｄ近傍において少なくともスロート管３３８の外周上に形成されている。なお、流路開口部３５０は、スロート管３３８の外周上及びタンク内側棚面２６ｃ上にまたがって形成されていてもよい。スロート管３３８の下降管部３３８ｂの下流端３３８ｄがタンク内側棚面２６ｃの排水口３１４に取付けられている。このとき、流路開口部３５０の開口の下端部はタンク内側棚面２６ｃの上面とほぼ同じ高さに位置している。流路開口部３５０は、タンク内側棚面２６ｃより上方において横向きに開口して形成されている。流路開口部３５０は、タンク内側棚面２６ｃ以上の高さ位置且つ、貯水タンク２６内の満水時の水位ＷＬ０の高さ位置以上の高さ位置に形成されている。
【００６０】
また、本発明の第四実施形態による水洗大便器装置３０１によれば、溢れ手段３５２の流路開口部３５０は、少なくとも一部がスロート管３３８に形成されるので、流路開口部３５０をスロート管３３８により比較的簡単に形成することができ、定流量弁４２からジェットノズル４０に供給される水の流量がばらついて増大する場合において、スロート管３３８の内部を流れる水の流量が所定の規定流量Ｆ１を超えるとき、溢れ手段３５２によりボウル部６に供給される水の流量を所定の規定流量Ｆ１よりも低減させることができる。よって、ボウル部６から洗浄水が溢れることをより確実に防止することができる。
【００６１】
次に、図１１により、本発明の第五実施形態による水洗大便器装置４０１を説明する。第五実施形態は、本発明の第一実施形態によるに水洗大便器装置１の溢れ手段５２の流路開口下流側流路５４及び貯水タンク２６を異なる構造により形成した例である。
図１１は本発明の第五実施形態による水洗大便器装置のスロート管、貯水タンク及び流路開口下流側流路の概略部分断面により溢れ手段の流路開口部を示す概略部分断面図である。第五実施形態による水洗大便器装置は、上述した第一実施形態による水洗大便器装置と構造がほぼ同じであるため、これらの説明については同じ参照符号を付して省略し、ここでは、第五実施形態の第一実施形態とは異なる部分等を説明する。
【００６２】
図１１に示すように、第五実施形態による水洗大便器装置４０１においては、貯水タンク４２６の内部に流路開口下流側流路４５４が配置され、貯水タンク４２６の内部に独立した流路が形成されている。流路開口下流側流路４５４は、その下流側において、貯水タンク４２６のタンク側面（タンク内面）４２６ｄを通り、便器本体２の導水路に接続される。流路開口下流側流路４５４は、その上流側において、スロート管４３８の下降管部４３８ｂの下流端４３８ｄと接続されている。
水洗大便器装置４０１は、さらに、便器本体２を洗浄中のいずれの工程においても、スロート管４３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管４３８から導水路１６に向けて供給される水の一部を貯水タンク４２６内に溢れさせる流路開口部４５０を形成する溢れ手段４５２を備えている。
【００６３】
溢れ手段４５２は、貯水タンク４２６のタンク側面４２６ｄから内側に延びる流路開口下流側流路４５４上に形成されている。この溢れ手段４５２は、流路から洗浄水を溢れさせることができるように形成された流路開口部４５０と、流路開口部４５０の下方に設けられる流路開口下流側流路４５４と、を備えている。本実施形態においては、流路開口下流側流路４５４は、排水口４１４を形成している。流路開口下流側流路４５４は、流路開口部４５０の下方で横向きに屈曲し、頂面４５４ａから底面までの高さが比較的低くなっている。従って、上方から流入する洗浄水が比較的溢れやすくなっている。
溢れ手段４５２の流路開口部４５０は、スロート管３８の下流端３８ｄと、流路開口下流側流路４５４の頂面４５４ａに形成された排水口４１４との間に形成されている。別の言い方によれば、流路開口下流側流路４５４の頂面４５４ａに形成された円形の排水口４１４の内側に、スロート管４３８の下流端４３８ｄが配置され、排水口４１４の内側且つスロート管４３８の外側の部分の開口部が流路開口部４５０を形成している。本実施形態においては、スロート管４３８の下流端３８ｄは、流路開口下流側流路４５４の頂面４５４ａの高さに配置されている。流路開口部４５０は上向きに開口するように形成されている。なお、スロート管４３８の下流端４３８ｄは、排水口４１４の内部まで延びていてもよい。
【００６４】
流路開口下流側流路４５４の頂面４５４ａは、貯水タンク４２６の内側の中央近傍において、貯水タンク４２６内の満水時の満水水位ＷＬ０の高さ位置の近傍の高さ位置に形成されている。頂面４５４ａは、貯水タンク４２６内の満水時の満水水位ＷＬ０の高さ位置以上の高さ位置に形成されていてもよい。溢れ手段４５２の流路開口部４５０は、オーバーフロー開口としても利用される。
【００６５】
また、本発明の第五実施形態による水洗大便器装置４０１によれば、溢れ手段４５２の流路開口部４５０は、スロート管４３８と貯水タンク４２６の内部に設けられた流路開口下流側流路４５４に形成され且つ貯水タンク４２６内の満水時の満水水位ＷＬ０の高さ位置の近傍の高さ位置に配置される排水口４１４との間に形成されるので、定流量弁４２からジェットノズル４３８に供給される水の流量がばらついて増大する場合において、スロート管４３８の内部を流れる水の流量が所定の規定流量Ｆ１を超え、排水口４１４の下流側の流路が満水となるとき、溢れ手段４５２の流路開口部４５０がスロート管４３８の上流側に形成されている場合と比べて、より早い段階で、溢れ手段４５２によりボウル部６に供給される水の流量を所定の規定流量Ｆ１よりも低減させることができる。よって、ボウル部６から洗浄水が溢れることをより確実に防止することができる。
【００６６】
次に、図１２により、本発明の第六実施形態による水洗大便器装置５０１を説明する。第六実施形態は、本発明の第一実施形態によるに水洗大便器装置１の溢れ手段５２の流路開口下流側流路５４及び貯水タンク２６を異なる構造により形成した例である。
図１２は本発明の第六実施形態による水洗大便器装置のスロート管、貯水タンク及び流路開口下流側流路の概略部分断面により溢れ手段の流路開口部を示す概略部分断面図である。第六実施形態による水洗大便器装置は、上述した第一実施形態による水洗大便器装置と構造がほぼ同じであるため、これらの説明については同じ参照符号を付して省略し、ここでは、第六実施形態の第一実施形態とは異なる部分等を説明する。
【００６７】
図１２に示すように、第六実施形態による水洗大便器装置５０１においては、貯水タンク５２６の内部に流路開口下流側流路５５４が配置され、貯水タンク５２６の内部に独立した流路が形成されている。流路開口下流側流路５５４は、その下流側において、貯水タンク５２６のタンク側面（タンク内面）５２６ｄを通り、便器本体２の導水路に接続される。流路開口下流側流路５５４は、その上流側において、スロート管５３８の下降管部５３８ｂの下流端５３８ｄとは離間して設けられている。スロート管５３８の下流端５３８ｄは、流路開口下流側流路５５４の頂面５５４ａより上方に配置されている。流路開口下流側流路５５４は、流路開口部５５０の下方で横向きに屈曲し、頂面５５４ａから底面までの高さが比較的低くなっている。従って、上方から流入する洗浄水が比較的溢れやすくなっている。
水洗大便器装置５０１は、さらに、便器本体２を洗浄中のいずれの工程においても、スロート管５３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管５３８から導水路１６に向けて供給される水の一部を貯水タンク５２６内に溢れさせる流路開口部５５０を形成する溢れ手段５５２を備えている。
【００６８】
溢れ手段５５２は、貯水タンク５２６のタンク側面５２６ｄから内側に延びる流路開口下流側流路５５４上に形成されている。この溢れ手段５５２は、流路から洗浄水を溢れさせることができるように形成された流路開口部５５０と、流路開口部５５０の下方に設けられる流路開口下流側流路５５４と、を備えている。本実施形態においては、流路開口下流側流路５５４は、排水口５１４を形成している。
流路開口部５５０は、排水口５１４の上方に設けられたスロート管５３８の下流端５３８ｄと、流路開口下流側流路５５４の排水口５１４との間に形成されている。すなわち、流路開口部５５０は、スロート管５３８の下流端５３８ｄの下方に設けられている。従って、流路開口部５５０は、流路開口下流側流路５５４の頂面５５４ａ上においては排水口５１４により形成されている。また、流路開口部５５０は、頂面５５４ａより上方においては排水口５１４と下流端５３８ｄとの間の隙間空間により形成されている。流路開口部５５０は、頂面５５４ａ以上の高さの位置且つ、貯水タンク５２６内の満水時の満水水位ＷＬ０の高さ位置より高い高さ位置に形成されている。
【００６９】
流路開口下流側流路５５４の頂面５５４ａは、貯水タンク５２６の内側の中央近傍において、貯水タンク５２６内の満水時の満水水位ＷＬ０の高さ位置の近傍の高さ位置に形成されている。頂面５５４ａは、貯水タンク５２６内の満水時の満水水位ＷＬ０の高さ位置以上の高さ位置に形成されていてもよい。溢れ手段５５２の流路開口部５５０は、オーバーフロー開口としても利用される。
【００７０】
また、本発明の第六実施形態による水洗大便器装置５０１によれば、溢れ手段５５２の流路開口部５５０は、貯水タンク５２６の排水口５１４の上方に離間して配置されるスロート管５３８の下流の端部５３８ｄと、貯水タンク５２６の内部に設けられた流路に形成され且つ貯水タンク５２６内の満水時の満水水位ＷＬ０の高さ位置の近傍の高さ位置に配置される排水口５１４との間に形成されるので、定流量弁４２からジェットノズル４０に供給される水の流量がばらついて増大する場合において、スロート管５３８の内部を流れる水の流量が所定の規定流量Ｆ１を超え、排水口５１４の下流側の流路が満水となるとき、溢れ手段５５２の流路開口部５５０がスロート管５３８の上流側に形成されている場合と比べて、より早い段階で、溢れ手段５５３によりボウル部６に供給される水の流量を所定の規定流量Ｆ１よりもより確実に低減させることができる。よって、ボウル部６から洗浄水が溢れることをさらにより確実に防止することができる。
【００７１】
次に、図１３により、本発明の第七実施形態による水洗大便器装置６０１を説明する。第七実施形態は、本発明の第一実施形態によるに水洗大便器装置１の溢れ手段５２の流路開口下流側流路５４及び貯水タンク２６を異なる構造により形成した例である。
図１３は本発明の第七実施形態による水洗大便器装置のスロート管、貯水タンク及び流路開口下流側流路の概略部分断面により溢れ手段の流路開口部を示す概略部分断面図である。第七実施形態による水洗大便器装置は、上述した第一実施形態による水洗大便器装置と構造がほぼ同じであるため、これらの説明については同じ参照符号を付して省略し、ここでは、第七実施形態の第一実施形態とは異なる部分等を説明する。
【００７２】
図１３に示すように、第七実施形態による水洗大便器装置６０１においては、貯水タンク６２６の内部に排水口下流側流路（第一流路）６５４が配置され、貯水タンク６２６の内部に独立した流路が形成されている。排水口下流側流路６５４は、その下流側において、貯水タンク６２６のタンク側面（タンク内面）６２６ｄを通り、便器本体２の導水路に接続される。排水口下流側流路６５４は、その上流側において、スロート管６３８の下降管部６３８ｂの下流端６３８ｄと接続されている。また、貯水タンク６２６の内部に排水口（排水口部）６１４から独立して離れた位置に別に流路開口部６５０が設けられ、流路開口部６５０の下流側の流路開口下流側流路（第二流路）６５５と排水口下流側流路６５４とが連通されている。なお、流路開口部６５０が排水口（排水口部）６１４と隣接した位置に配置され、排水口下流側流路６５４を形成する壁面と、流路開口下流側流路６５５を形成する壁面とが、接続されるか又は共通の一つの壁面として形成されていてもよい。
水洗大便器装置６０１は、さらに、便器本体２を洗浄中のいずれの工程においても、スロート管６３８の内部を流れる水の流量が所定の規定流量（ボウル部から洗浄水がボウル部外に飛散しないように設定された規定流量）Ｆ１を超えるとき、導水路１６からボウル部６に供給される水の流量を所定の規定流量Ｆ１よりも低減させるように、スロート管６３８から導水路１６に向けて供給される水の一部を貯水タンク６２６内に溢れさせる流路開口部６５０を形成する溢れ手段６５２を備えている。排水口６１４は、スロート管６３８の下流端６３８ｄと接続されて連続した配管状の流路を形成している。すなわち、スロート管６３８の下流端６３８ｄは、排水口下流側流路６５４の排水口６１４の内部まで延びていてもよい。
【００７３】
溢れ手段６５２は、流路開口下流側流路６５４から洗浄水を溢れさせることができるように形成された流路開口部６５０と、排水口６１４の下流側に設けられる排水口下流側流路６５４と、流路開口部６５０の下流側に設けられる流路開口下流側流路６５５と、を備えている。
流路開口部６５０は、排水口６１４に接続されたスロート管６３８の下流端６３８ｄと離間して別の位置に形成されている。なお、流路開口部６５０は、流路開口下流側流路６５４の排水口６１４と離間した位置、又は近傍の位置、又は隣接した位置に別に形成されていてもよい。流路開口部６５０は、排水口６１４とは別の流路として形成され、下流側に延び、流路開口下流側流路６５４と接続されている。流路開口下流側流路６５５は、排水口下流側流路６５４と貯水タンク６２６の外側において接続されているが、貯水タンク６２６の内側において接続されていてもよい。
流路開口部６５０は、貯水タンク６２６内において、排水口６１４と並んで形成され且つ同じ高さ位置に形成されている。流路開口部６５０は、排水口下流側流路６５４と排水口６１４より下流側の位置において連通しているので、排水口下流側流路６５４内が洗浄水で満水となって水圧が高まった場合には、洗浄水が流路開口部６５０から貯水タンク６２６内に溢れだすようになっている。また、流路開口部６５０は、詳細は省略するがオーバーフロー開口としても利用される。流路開口部６５０は、貯水タンク６２６内の満水時の満水水位ＷＬ０の高さ位置以上の高さ位置に形成されている。
【００７４】
また、本発明の第七実施形態による水洗大便器装置６０１によれば、溢れ手段６５２の流路開口部６５０は、排水口６１４とは別に形成されるので、定流量弁４２からジェットノズル４０に供給される水の流量がばらついて増大する場合において、スロート管６３８の内部を流れる水の流量が所定の規定流量Ｆ１を超え、排水口６１４の下流側の流路が満水になるとき、溢れ手段６５２の流路開口部６５０がスロート管６３８の上方側に形成されている場合と比べて、より早い段階で、溢れ手段６５２によりボウル部６に供給される水の流量を所定の規定流量Ｆ１よりもより確実に低減させることができる。よって、ボウル部６から洗浄水が溢れることをさらにより確実に防止することができる。
【符号の説明】
【００７５】
１        水洗大便器装置
２        便器本体
２ａ      後部
４        洗浄水タンク装置
６        ボウル部
８        リム部
１０      棚部
１２      トラップ排水路
１２ａ    入口
１４      排水口
１６      導水路
１８      第１リム吐水口
２０      第２リム吐水口
２２      第１通水路
２４      第２通水路
２６      貯水タンク
２６ａ    頂部
２６ｂ    下方突出タンク部
２６ｃ    タンク内側棚面
２６ｄ    タンク取付面
２８      給水管路
３０      給水弁装置
３２      ジェットポンプユニット
３４      手動レバー
３６      駆動軸
３８      スロート管
３８ａ    上昇管部
３８ｂ    下降管部
３８ｃ    吸引口
３８ｄ    下流端
４０      ジェットノズル
４２      定流量弁
４４      真空破壊弁
４８      主弁体
５０      流路開口部
５２      溢れ手段
５４      流路開口下流側流路
５４ａ    下流側流路底面
５５      ジェット流路
５６      補給水流路
６０      給水フロート
６８      フロート
１０１    水洗大便器装置
１３８    スロート管
１３８ｂ  下降管部
１３８ｄ  下流端
１５０    流路開口部
１５２    溢れ手段
２０１    水洗大便器装置
２１４    排水口
２２６ｃ  タンク内側棚面
２３８    スロート管
２３８ｂ  下降管部
２３８ｄ  下流端
２５０    流路開口部
２５２    溢れ手段
２５４    流路開口下流側流路
３０１    水洗大便器装置
３１４    排水口
３３８    スロート管
３３８ｂ  下降管部
３３８ｄ  下流端
３５０    流路開口部
３５２    溢れ手段
４０１    水洗大便器装置
４１４    排水口
４２６ｄ  タンク側面
４２６    貯水タンク
４５０    流路開口部
４５２    溢れ手段
４５４ａ  頂面
４５４    流路開口下流側流路
５０１    水洗大便器装置
５１４    排水口
５２６ｄ  タンク側面
５２６    貯水タンク
５３８    スロート管
５３８ｂ  下降管部
５３８ｄ  下流端
５５０    流路開口部
５５２    溢れ手段
５５４ａ  頂面
５５４    流路開口下流側流路
６０１    水洗大便器装置
６１４    排水口
６２６    貯水タンク
６３８    スロート管
６３８ｂ  下降管部
６３８ｄ  下流端
６５０    流路開口部
６５２    溢れ手段
６５４ａ  頂面
６５４    流路開口下流側流路
Ａ１      矢印
Ａ２      矢印
Ａ３      矢印
Ａ４      矢印
Ａ５      矢印
Ａ６      矢印
Ａ７      矢印
Ａ８      矢印
Ａ９      矢印
Ｆ０      流量
Ｆ１      規定流量
Ｆ２      流量
Ｌ１      距離
Ｗ０      水位
ＷＬ０    満水水位
ＷＬ１    水位
ＷＬ２    水位
【図１】
0006628083.tif 000002
【図２】
0006628083.tif 000003
【図３】
0006628083.tif 000004
【図４】
0006628083.tif 000005
【図５】
0006628083.tif 000006
【図６】
0006628083.tif 000007
【図７】
0006628083.tif 000008
【図８】
0006628083.tif 000009
【図９】
0006628083.tif 000010
【図１０】
0006628083.tif 000011
【図１１】
0006628083.tif 000012
【図１２】
0006628083.tif 000013
【図１３】
0006628083.tif 000014